(57)【要約】【課題】  複数のスクロール制御モードを備えるウィンドウ・ページに対するスクロール制御を容易に行うことができるウィンドウ・ページのスクロール制御装置および方法を提供する。【解決手段】    動作中のデータ表示ウィンドウについてのページ全体のスクロール制御モード、単一行のスクロール制御モード、あるいはスケーリング表示モードの下で、ユーザがリアルタイムの切替えを行うことができるように、ウィンドウ・ページの明確な切り替えおよびスクロールを行う働きをする制御モジュールを有する装置を使用した、ウィンドウ・ページのスクロール制御装置および方法である。これにより、ユーザは、ページ全体、単一行、およびスケーリングのスクロールを実行するためのスクロール制御を容易にかつ迅速に行うことができる。【選択図】            図１
2006146790.tif 000002
【特許請求の範囲】
【請求項１】
コンピュータに接続されるスクロール制御ユニットを有する信号送信制御装置を用いて行われるコンピュータのウィンドウ・ページのスクロール制御方法であって、
ウィンドウ・ページを表示させる段階と、
スクロール制御ユニットのキーが押圧されることによって複数のスクロール制御モードのうちの一つが選択される段階と、
信号送信制御装置が制御されることによってウィンドウ・ページのスクロールが行われる段階と、
スクロール制御ユニットの他のキーが押圧されることによって他のスクロール制御モードが選択される段階と、
を有する方法。
【請求項２】
前記スクロール制御モードは、ページ全体のスクロールのモード、単一行のスクロールのモード、およびスケーリングのモードを含む請求項１に記載の方法。
【請求項３】
ウィンドウ・ページのスクロール制御装置であって、
コンピュータに接続される被制御装置と、
前記被制御装置に接続される信号送信制御装置とを有し、
前記信号送信制御装置には、複数のスクロール制御モードの間で切り替えをする働きをするスクロール制御ユニットが取り付けられてなる装置。
【請求項４】
前記スクロール制御ユニットは、各スクロール制御モードを動作させるための少なくとも一つのキーを含む請求項３に記載の装置。
【請求項５】
前記キーは、リフト・タイプのキーを含む請求項３に記載の装置。
【請求項６】
前記キーは、プッシュ・タイプのキーを含む請求項３に記載の装置。
【請求項７】
前記スクロール制御モードは、ページ全体のスクロールのモード、単一行のスクロールのモード、およびスケーリングのモードを含む請求項３に記載の装置。
【請求項８】
前記スクロール制御ユニットが１つだけのキーを含む場合、当該スクロール制御ユニットは、キー上で実行される連続押圧操作によって、スクロール制御モードの間での切り替えをする働きをする請求項３に記載の装置。
【請求項９】
前記信号送信制御装置は、マウス、キーボード、携帯電話、携帯情報端末、または高度自動機能電話を含む請求項３に記載の装置。
【請求項１０】
前記信号送信制御装置は、有線または無線通信を介して前記被制御装置に接続される請求項３に記載の装置。
【請求項１１】
前記被制御装置は、コンピュータ、サーバ、またはディスプレイ装置を含む請求項３に記載の装置。
【発明の詳細な説明】
【技術分野】
【０００１】
本発明は、概して、ウィンドウ・ページのスクロール制御装置および方法に関し、特に、ページ全体、単一行、およびスケーリングのスクロール制御を明確に実行するために、ページおよびスクロール制御モードを明確に切り替えるように、ユーザがコンピュータへの接続を介した信号送信を制御することを可能にする装置に関する。
【背景技術】
【０００２】
コンピュータの人気のある強力なアプリケーションによって、ユーザは、ウィンドウ・ページにおいて表示される広範囲のデータを読んで、ソフトウェア・プラットホームの下で種々のブリーフィングを行うことができる。
【０００３】
従来では、ユーザがウィンドウ・ページからデータを読むとき、ページ・スクロールは、典型的には、マウスの左ボタン、右ボタン、および中心軸ローラ、あるいは、有線または無線通信を介してコンピュータに接続されるキーボードの上および下キーを押圧することによって、制御される。ブリーフィングのために、遠隔制御入力装置が、ブリーフィング内容のページまたはセクションのターニングを制御するために使用され得る。
【発明の開示】
【発明が解決しようとする課題】
【０００４】
しかし、従来の操作は、リアルタイムのページ表示のためのページ・スクロール制御モードを変更することを満たしていない。例えば、従来のマウス、キーボード、または遠隔制御入力装置などの装置は、ページ全体またはデフォルトのスクロール操作を行う働きをするだけなので、ページ全体のスクロール、単一行のスクロール、またはスケーリングのモード間の切り替えは、要望が提示されるときいつでも従来のスクロール操作によって実行され得るわけではない。マウスの軸ローラまたは遠隔制御を用いることは、一般的には、複数行または倍数スケーリングのスクロールに帰着する。したがって、従来の装置によって単一行のスクロールまたは単一行のスケーリングを達成することは、困難である。
【０００５】
そこで、本発明の目的は、複数のスクロール制御モードを備えるウィンドウ・ページに対するスクロール制御を容易に行うことができるウィンドウ・ページのスクロール制御装置および方法を提供することにある。
【課題を解決するための手段】
【０００６】
上記の問題点を解決するために、複数のスクロール制御モードの間において明確な切り替えを提供するために、ユーザおよびコンピュータ・ホスト間の一方向通信を可能にする、スクロール制御ユニットを有する信号送信制御装置が提供される。これにより、ユーザは、選択されたスクロール制御モードの下で、ページ全体、単一行、およびスケーリングの操作を容易に実行でき、かつ正確でリアルタイムの停止スクロール操作を行うことができる。このようにして、ウィンドウに表示されたページの内容は、より容易に制御され、拡大縮小され、およびアクセスされることができる。
【０００７】
上記のように提供される方法および装置は、コンピュータに接続されるスクロール制御ユニットを有する信号送信制御装置を使用する。信号送信制御装置およびコンピュータ間の通信は、有線接続または無線接続を含む。ウィンドウが起動させられているとき、ユーザは、ページ全体、単一行、およびスケーリングのスクロール制御モードの間において選択するために、スクロール制御ユニットを使用することができる。したがって、ユーザは、リーディング、ブリーフィング、またはプレゼンテーションのために、ウィンドウ・ページに対するスクロール制御を容易に行うことが可能となる。
【０００８】
本発明の上記の目的および利点は、添付の図面を参照して、その代表的な実施形態を詳述することによって、より明瞭になる。
【発明の効果】
【０００９】
本発明によれば、複数のスクロール制御モードを備えるウィンドウ・ページに対するスクロール制御を容易に行うことができる。したがって、ウィンドウ・ページにアクセスするためのスクロール制御が容易に達成され得る。これにより、ユーザは、ページ全体、単一行、およびスケーリングのスクロールを実行するためのスクロール制御を、容易にかつ迅速に行うことが可能となる。
【発明を実施するための最良の形態】
【００１０】
図１は、コンピュータのウィンドウ・ページのスクロール制御装置を示す。図示のように、スクロール制御装置は、種々のタイプのコンピュータ、サーバ、ディスプレイ装置に接続される被制御装置２の信号受信ユニット２１に制御信号を送信するための信号送信制御装置１を含んでいる。信号受信ユニット２１は、例えば、信号レシーバ、あるいはアクセスポイント（ＡＰ）を含む。
【００１１】
信号送信制御装置１は、ユーザが制御指令を入力することができる複数の入力装置１１を含む。例えば、ユーザは、マウス装置の操作と似通った制御指令を入力することができる。明確な切り替え機能を有するスクロール制御ユニット１２が、被制御装置２のウィンドウ・ページの様々なアクセスモード（スクロール制御モード）間の切り替えを提供するために、信号送信制御装置１に取り付けられる。
【００１２】
スクロール制御ユニット１２は、リフト・タイプまたはプッシュ・タイプの制御キーを含んでいる。スクロール制御ユニット１２の各制御キーを押圧することによって、ユーザは、様々なアクセスモードの間で切り替えをすることができる。ユーザはまた、連続的に制御キーを押すことができる。各押圧操作は、一のアクセスモードを他に切り替える。すなわち、ユーザが１つの制御キーを押すたびに、制御キーに対応する制御指令信号が生成されて、被制御装置に送られる。これにより、ユーザが、例えばページ全体のスクロール、単一行のスクロール、または、ページ若しくは行のスケーリングなどの、所定のスクロール操作を要望する場合、かかるスクロール操作は、所望のスクロール制御モードが検索されるまでキーを押圧することによって行われ得る。なお、本発明において、スクロールとは、ページ全体のスクロール、単一行のスクロール、および、ページ若しくは行のスケーリングを含む概念をいう。
【００１３】
一実施形態において、スクロール制御ユニット１２は、図２に示すような単一の方向キーを含んでいる。ユーザがキーを押すたびに、モードは、一のモードから他のモードへ移される。あるいは、図３に示すようなマルチファンクションキーが、この種の切り替え機能を提供するために形成されることができる。スクロール制御モード間で明確に切り替えをすることによって、表示されたウィンドウ・ページを読むための素早い案内を得ることができる。
【００１４】
信号送信制御装置１の実施例は、例えば、図４および図５に示されるようなスクロール制御ユニット１２を有するマウスあるいはキーボード、携帯電話、携帯情報端末（ＰＤＡ）、あるいは高度自動機能電話（ｓｍａｒｔ  ｐｈｏｎｅ）などの装置を含む。
【００１５】
提供されるような装置によって、ウィンドウ・ページをスクロールする方法がまた、提供される。当該方法の詳細なプロセスを以下に説明する。
【００１６】
図６に示すように、ウィンドウ・ページのスクロール制御方法において、信号送信制御装置１は、様々なスクロール制御モードのうちの一つを明確に選択するために使用される。信号送信制御装置は、所定のスクロール・モードを動作させるための信号を生成する働きをするスクロール制御ユニットを含んでいる。
【００１７】
信号送信制御装置１のスクロール制御ユニット１２が第１のスクロール制御モードに切り替えられるとき、ステップ３００において、ユーザがスクロール制御ユニット１２を操作することによってスクロール操作を実行することができる。例えば、ユーザは、所望する様に表示されたページをスクロールアップまたはスクロールダウンさせるために、キーを選択または押圧することができる。
【００１８】
ステップ３０２において異なるスクロール制御モードが必要とされる場合、ステップ３０４においてユーザは、第１のスクロール制御モードを第２のスクロール制御モードに切り替えるために、スクロール制御ユニットを操作することができる。上述したように、スクロール制御ユニット１２が１つだけのモード選択キーを含む場合、所望の第２のスクロール制御モードが選択されるまで、ユーザは連続的にキーを押すことができる。スクロール制御ユニット１２が各モード選択キーを表す複数のキーを含む場合、ユーザは、第２のスクロール制御モードを動作させるために特定のキーを押すことができる。一旦キーが押圧されると、第２のスクロール制御モードを起動させるための信号が生成されて、被制御装置２の信号受信ユニット２１に送られる。このようにして、ユーザは、第２のスクロール制御モードの下で、ウィンドウ・ページをスクロールすることを制御することができる。
【００１９】
ユーザが現在の表示ウィンドウ・ページを拡大縮小する意図を有している場合、ステップ３０６においてスケーリング制御モードを表すキーを押圧することによって、スケーリングのモード（第３のスクロール制御モード）が選択される。スケーリングのモードの下で、ステップ３０８においてユーザは、所望の様に特定の行、パラグラフ、あるいはページを選択的に拡大縮小することができる。
【００２０】
ユーザがスケーリング操作をもはや必要としない場合、ステップ３１０において他のキーを押圧するか、または再び同じキーを押圧することによって、他のスクロール制御モードが起動させられる。
【００２１】
本発明は、その好ましい実施形態に関して特に図示および記載されている一方で、形態および詳細における種々の変更が、添付の特許請求の範囲に記載の本発明の趣旨および範囲から逸脱することなく、当業者によってなされ得ることが理解される。
【図面の簡単な説明】
【００２２】
【図１】信号送信制御装置の構造を示す。
【図２】信号送信制御装置のスクロール制御ユニットの構造を示す。
【図３】スクロール制御ユニットの他の実施形態を示す。
【図４】信号送信制御装置の別の実施形態を示す。
【図５】信号送信制御装置のさらに別の実施形態を示す。
【図６】スクロール制御の動作プロセスを示す。
【符号の説明】
【００２３】
１    信号送信制御装置、
２    被制御装置、
１１    入力装置、
１２    スクロール制御ユニット、
２１    信号受信ユニット。
【図１】
2006146790.tif 000003
【図２】
2006146790.tif 000004
【図３】
2006146790.tif 000005
【図４】
2006146790.tif 000006
【図５】
2006146790.tif 000007
【図６】
2006146790.tif 000008